(57)【要約】【課題】本発明は襟巻きに関し、例えば毛皮、人工毛皮で形成された襟巻き、ショール、マフラー、ファーの襟巻性状体の表面に宝石または人工宝石の装飾品、装飾用チェーン、装飾用ビーズ等の装飾品を簡単な取扱いにて装着してファッション性を高め、構造的に堅牢に取付けるものである。【解決手段】所望太さの合成繊維のフィラメントを所望本数撚り合わせた撚糸２′により編成される地組織部１と、該地組織部１の合成繊維のフィラメントよりも太い合成繊維のフィラメントを所望本数撚り合わした撚糸２により地組織部１の少なくとも一縁部３に分岐して編成される網目部４とを有し、網目部４が、網目構成用増目部５、および該網目構成用増目部５から分岐する網目構成用架橋部６により編成されるリボン７を襟巻性状体Ａの裏面縁部に取付け、装身具Ｂが網目部４に係脱可能になる止金具８により襟巻性状体Ａに取付けられる。【選択図】図１
2006009191.tif 000002
【特許請求の範囲】
【請求項１】
所望太さの合成繊維のフィラメントを所望本数撚り合わせた撚糸により編成される地組織部と、該地組織部の合成繊維のフィラメントよりも太い合成繊維のフィラメントを所望本数撚り合わした撚糸により前記地組織部の少なくとも一縁部に分岐して編成される網目部とを有し、該網目部が、網目構成用増目部、および該網目構成用増目部から分岐する網目構成用架橋部により編成されるリボンを襟巻性状体の裏面縁部に取付け、装身具が前記網目部に係脱可能になる止金具により襟巻性状体に取付けられることを特徴とする襟巻き。
【請求項２】
前記襟巻性状体が、毛皮や人工毛皮で形成された襟巻き、ショール、マフラー、ファーの何れかであることを特徴とする請求項１に記載の襟巻き。
【請求項３】
前記装身具が、宝石または人工宝石により形成される紐状の装飾品、装飾用チェーン、装飾用ビーズの何れかであることを特徴とする請求項１,２に記載の襟巻き。
【請求項４】
前記装身具が、前記止金具を介して所望位置の前記網目に複数個所にて係止されることにより前記襟巻性状体の表面を横切るか、または吊下げられるように取付けられることを特徴とした請求項１,２,３に記載の襟巻き。
【発明の詳細な説明】
【技術分野】
【０００１】
本発明は襟巻きに関し、例えば毛皮、人工毛皮で形成された襟巻き、ショール、マフラー、ファーの襟巻性状体の表面に宝石または人工宝石の装飾品、装飾用チェーン、装飾用ビーズ等の装身具を簡単な取扱いにて装着してファッション性を高め、構造的に堅牢に取付けるものである。
【背景技術】
【０００２】
従来、装身具として、例えばスカーフ、ナプキン、帽子等の身回り品の落下を防止し、装飾性を発揮するために、チェーンの両端に着脱自在な止め金具を取付け、チェーンの長さを調整するようにしたアクセサリーチェーンがあった（例えば特許文献１参照）。
【０００３】
また、冬期に防寒のために、首に巻いて暖を採る衣料用具として、毛皮や人工毛皮で形成される襟巻きでは、その表面に装身具を装着することは毛皮の毛足により折角の装身具が埋もれて隠されることにより役目を果たさなかったり、毛皮に対する装身具の取付個所も無いことから従来行われていなかった。
【特許文献１】特開２００１−７８８１６号公報
【発明の開示】
【発明が解決しようとする課題】
【０００４】
しかしながら、特許文献１に記載の上記従来アクセサリーチェーンは、例えば、首に巻いたスカーフの首の左右の付け根個所に、チェーンの両端に設けたピン機構の止め具により装身具としてのアクセサリーチェーンを衣服に取付るようにして装飾性を発揮するとともに、スカーフの落下を防止するものである。
【０００５】
従って、アクセサリーチェーンを取付るためには、首に巻いたスカーフと衣服とを重合してピン機構としての止め具のトップを衣服の裏面に配置したキャッチに内に挿入することにより、アクセサリーチェーンをスカーフに取付けなければならないので、取扱い難く、取付のためには多くの時間と、手間とがかかる。
【０００６】
また、仮に特許文献１に記載の上記従来アクセサリーチェーンを毛皮や人工毛皮で形成される襟巻きやショール、ファーの表面に取付けようとする場合に、毛皮の毛足に邪魔されるのと、毛皮の厚みも厚いことから、ピン機構を毛皮に突き刺し難いとともに、ピン機構をキャッチに一致して挿入し難い。しかも、取付後には、折角、取付けたアクセサリーが毛皮に埋もれて隠されるため、アクセサリーの装飾性が失われてしまうという不都合があった。
【０００７】
本発明は上記従来の欠点を解決し、簡単な取扱い操作により装身具を装着できるとともに、装身具の取付位置や配置に自由度を発揮してファッション性を高め、しかも、構造的に堅牢に装身具を取付けることができ、さらには、構造簡単で製作も容易であり、製作コストが安価な襟巻きを提供することを目的とする。
【課題を解決するための手段】
【０００８】
本発明は上記課題に鑑みなされたものであり、請求項１に記載の発明は、所望太さの合成繊維のフィラメントを所望本数撚り合わせた撚糸により編成される地組織部と、該地組織部の合成繊維のフィラメントよりも太い合成繊維のフィラメントを所望本数撚り合わした撚糸により前記地組織部の少なくとも一縁部に分岐して編成される網目部とを有し、該網目部が、網目構成用増目部、および該網目構成用増目部から分岐する網目構成用架橋部により編成されるリボンを襟巻性状体の裏面縁部に取付け、装身具が前記網目部に係脱可能になる止金具により襟巻性状体に取付けられることを特徴とする。
【０００９】
また、本発明の請求項２に記載の発明は、請求項１において、前記襟巻性状体が、毛皮や人工毛皮で形成された襟巻き、ショール、マフラー、ファーの何れかであることを特徴とする。
【００１０】
また、本発明の請求項３に記載の発明は、請求項１,２において、前記装身具が、宝石または人工宝石により形成される紐状の装飾品、装飾用チェーン、装飾用ビーズの何れかであることを特徴とする。
【００１１】
また、本発明の請求項４に記載の発明は、請求項１,２,３において、前記装身具が、前記止金具を介して所望位置の前記網目に複数個所にて係止されることにより前記襟巻性状体の表面を横切るか、または吊下げられるように取付けられることを特徴とした。
【発明の効果】
【００１２】
本発明の襟巻きは、簡単な取扱い操作により装身具を装着できるとともに、取付位置や配置に自由度を発揮してファッション性を高め、しかも、構造的に堅牢に装身具を取付けることができ、さらには、構造簡単で製作も容易であり、製作コストが安価になる。
【発明を実施するための最良の形態】
【００１３】
以下図面に従い、本発明を実施するための最良の形態につき詳細を説明する。
【００１４】
図１は本発明の襟巻きの実施形態１を示す正面図、図２は同じく裏面図、図３は本実施形態１で使用する止金具を網目部に取付ける取付状態を示す拡大斜視図、図４は本実施形態を構成する網目組織を備えたリボンの実施形態１を示す平面図、図５は同じく組織図、図６は同じく繊維組織を示す写真、図７は襟巻性状体に装身具を取付ける場合の他の使用例を示す正面図である。
【００１５】
本実施形態１の襟巻きの発明は、所望太さの合成繊維のフィラメントを所望本数撚り合わせた撚糸２′により編成される地組織部１と、該地組織部１の合成繊維のフィラメントよりも太い合成繊維のフィラメントを所望本数撚り合わした撚糸２により前記地組織部１の少なくとも一縁部３に分岐して編成される網目部４とを有し、該網目部４が、網目構成用増目部５、および該網目構成用増目部５から分岐する網目構成用架橋部６により編成されるリボン７を襟巻性状体Ａの裏面縁部に取付け、装身具Ｂが前記網目部４に係脱可能になる止金具８により襟巻性状体Ａに取付けられることを特徴とする。
【００１６】
また、前記襟巻性状体Ａは、図示す本実施形態１では毛皮や人工毛皮で形成された襟巻きであるほか、図には示さないがショールがある。
【００１７】
また、前記装身具Ｂが、図1では宝石または人工宝石により形成される紐状の装飾品を示しているが、装身具Ｂとしては、図には示さないが、装飾用チェーン、装飾用ビーズの何れかが使用される。
【００１８】
また、前記装身具Ｂが、前記止金具８,８を介して前記網目部４の所望位置に複数個所、本実施形態１では２個所にて係止されることにより前記襟巻性状体Ａの表面に図１に示すように斜めに横切るか、または図７に示すようにＵ字状に吊下げられるように取付けられる。
【００１９】
前記止金具８は、図示では、例えば装身具Ｂの左右の端部に装着される茄子環８Ａと、網目部４に装着される丸環８Ｂとを係止することにより着脱自在に取付けられる。
【００２０】
前記リボン７は、細かな組織の地組織部１と、前記網目部４とよりなり、この地組織部１と前記網目部４とはラッシェル編機を用いて４枚箴にて縦編みされる。
【００２１】
また、前記地組織部１を編成するのには、例えば所望太さの合成繊維のフィラメントを所望本数撚り合わせた撚糸２′により編成される。また、必要な場合には合成繊維のフィラメントに、半合成繊維糸、天然繊維糸の何れかを混紡して編成される。前記合成繊維としては、例えばポリアミド、ポリエステル、アクリル、ポリウレタン、エチレン、ポリプロピレン等があげられる。また、天然繊維としては、例えば絹、麻、木綿、羊毛等が挙げられる。半合成繊維糸とは、天然繊維と合成繊維との混紡糸が使用される。
【００２２】
また、地組織部１は、縦編みするのであれば、メリヤス編み、ゴム編み等の任意な編成方法でよく、編成方法にはとらわれない。また、染色は多種の色調のものが使用され、必要ならば適宜図柄を編み込むようにしてもよい。
【００２３】
また、前記網目部４を編成するのには、例えば合成繊維、例えば本実施形態１のリボン７では図５に示す組織図の左欄に表示する第１の箴Ｌ１には、９０デニールのポリアミド・モノフィラメントを５本撚り合わせた撚糸２Ａが使用される。また、第２の箴Ｌ２には、同じく９０デニールのポリアミド・モノフィラメントを５本撚り合わせた撚糸２Ａが使用される。また、第３の箴Ｌ３には、太さ７０デニール／２のポリアミド繊維のウーリー糸を１１本と、太さ９０デニールのポリアミド・モノフィラメントを４本とを撚合わした撚糸２Ｂが使用される。また、第４の箴Ｌ４には、太さ７０デニール／２のポリアミド繊維のウーリー糸を９本と、太さ９０デニールのポリアミド・モノフィラメントを２本とを撚合わした撚糸２Ｃがそれぞれ使用されることにより細かな組織にて編成される地組織部１の縁部３に、該地組織部１よりも目の粗い前記網目部４,４・・・を形成するようになる。
【００２４】
なお、本明細書において、網目構成用増目部５とは、図１、図４において連続して編まれる網目組織の長さ方向Ｘに配置される頂部をいう。また、本明細書において、網目構成用架橋部６とは、図において連続して編まれる網目組織の前記網目構成用架橋部６から分岐して地組織部１の縁部に編み込まれる長さ方向Ｘに交叉する部分をいう。            
【００２５】
すなわち、図５に示す組織図において、第１の箴Ｌ１および第２の箴Ｌ２では、撚糸２Ａが１２番目の鎖と１４番目の鎖とに編み込まれることにより、網目部４の網目構成用増目部５の骨格と網目構成用架橋部６として編成される。また、第４の箴Ｌ４では撚糸２Ｃが３番目の鎖と第１２番目の鎖との間を連続的に編み込まれることにより前記網目構成用増目部５の外面補強糸として編成される。また、第３の箴Ｌ３では網目を地組織部１の縁部に長さ方向Ｘに沿って撚糸２Ｃが１番目から１２番目の間にて連続して編み込まれるのと、１３番目の鎖を残して網目構成用架橋部６が位置する１２番目と１４番目との鎖に編み込まれ、取付部となり、前記網目部４は形成される。
【００２６】
本発明の網目組織を備えたリボンの実施形態１は以上の構成からなり、所望太さの合成繊維のフィラメントを所望本数撚り合わせた撚糸２′により編成される地組織部１の一縁部３に、前記網地組織１よりも太い太さの合成繊維のフィラメント、例えばポリアミド・モノフィラメントを５本撚り合わせた撚糸２（２Ａ,２Ｂ,２Ｃ）により前記地組織部１よりも目の粗い多数の網目の網目部４を長さ方向Ｘに編成した網目組織のリボン７を襟巻性状体Ａの裏面縁部、例えば図２に示すように周囲に、ミシンにて縫着したり、接着剤を用いて接着する等して取付けているので、地組織部１の縁部３に長さ方向Ｘに編成される網目部４は、合成繊維のフィラメントが可撓性と弾力的な復元力とを発揮することにより構造堅牢でありながら例えば襟巻性状体Ａを首に巻いて装用した時にも首等の身体の動きに密着して追従するように柔軟性に富んで違和感なく装用できるとともに網目部４の形が装用時および洗濯時に形崩れることなく確実に保形性を発揮する。
【００２７】
そして、この地組織部１の縁部３に長さ方向Ｘに編成される網目部４の所望の網目を選択して網目組織のリボン７に止金具８の丸環８Ｂ,８Ｂを装着し、また装身具Ｂの両端に装着した茄子環８Ａ,８Ａの操作部８ａを捻りばねの弾発力に抗して爪で押圧することにより閉止部８ｂを開いて前記丸環８Ｂ,８Ｂに係止するという簡単な取扱い操作いで、例えば図１に示すように襟巻性状体Ａの表面に装身具Ｂが斜めに横切るように止金具８,８の茄子環８Ａ,８Ａと、この茄子環８Ａ,８Ａが係脱可能になる丸環８Ｂ,８Ｂを介して着脱自在に取付けることができる。
【００２８】
このようにして、襟巻性状体Ａの表面に、例えば宝石または人工宝石により形成された紐状の装飾品等の装身具Ｂを表面に斜めに横切って取付けた襟巻性状体Ａを、被着者が例えば冬期、首に巻回することにより、襟巻性状体Ａを装用すれば襟巻性状体Ａに取付後の装身具Ｂは、毛皮に埋もれて隠されることなく、充分に装飾性を発揮し、ファッション性を高めることができる。
【００２９】
また、本実施形態１の網目組織のリボン７は、地組織部１の縁部３に長さ方向Ｘに編成される網目部４は、前述のように合成繊維のフィラメントを所望複数本撚り合わした撚糸２により形成されるため、合成繊維のフィラメントが圧縮または引っ張り、捻れに対して可撓性と弾力的な復元力とを発揮することにより構造堅牢になり、また、取付後の強度が高く、前述のように保形性、耐摩耗性、復元性に優れる。
【００３０】
従って、丸環８Ｂ,８Ｂと、茄子環８Ａ,８Ａとよりなる止金具８,８を介して前述のように襟巻性状体Ａの表面に取付けられた装身具Ｂを取付個所に係留される止金具８,８が外部からの強い引っ張力を受けて不用意に引きちぎれることなく構造堅牢に取付けることができる。
【００３１】
また、地組織部１の縁部３に長さ方向Ｘに編成される網目部４の例えば上縁に設置される所望の網目を選択して網目組織のリボン７に図７に示すように止金具８の丸環８Ｂ,８Ｂを装着し、装身具Ｂの両端に装着した茄子環８Ａ,８Ａを係止することにより襟巻性状体Ａの表面に装身具ＢをＵ字状に吊下げるように取付ければ、単一の装身具Ｂを用いる場合でも図１に示す時の装身具Ｂの取付態様とは異なり、２通りもの使い分けが行え、変化に富んだ装飾性を発揮することができる。
【００３２】
従って、衣服のデザイン、色調に合わせたおしゃれを楽しむことができる。
【００３３】
なお、上記実施形態１では、装身具Ｂを取付けるための襟巻性状体Ａは、図示するように毛皮や人工毛皮で形成された襟巻き、ショールにつき説明したが、これは代表的例示であり、襟巻としてはこのほかに図には示さないがショールがある。また、装身具Ｂとしては、図示するように天然または人工の宝石のほか、図には示さないが装飾用チェーン、装飾用ビーズ、装飾用組紐等の装飾品であってもよく、制限されない。
【００３４】
また、止金具８は、図示するものに限らず、図には示さないがフックと丸環との組付け、また丸環２個を用いて結合してもよい。
【００３５】
また、図示する上記実施形態１の網目組織のリボン７の地組織部１の設置幅、網目の大きさは代表的な例示であり、網目の設置間隔等の増減変更は自由である。しかも、網目部４を編成するのに用いる撚糸２（２Ａ,２Ｂ,２Ｃ）を形成する合成繊維のフィラメントの太さ、用いる設置数の増減変更は自由である。
【産業上の利用可能性】
【００３６】
本発明の襟巻きは、簡単な取扱い操作により装身具を装着できるとともに、取付位置や配置に自由度を発揮してファッション性を高め、しかも、構造的に堅牢に装身具を取付けることができ、さらには、構造簡単で製作も容易であり、製作コストが安価になるという分野・用途に適する。
【図面の簡単な説明】
【００３７】
【図１】本発明の襟巻きの実施形態１を示す正面図である。
【図２】図２は同じく裏面図である。
【図３】図３は本実施形態１で使用する止金具を網目部に取付ける取付状態を示す拡大斜視図である。
【図４】図４は本実施形態を構成する網目組織を備えたリボンの実施形態１を示す平面図である。
【図５】図５は同じく組織図である。
【図６】図６は同じく繊維組織を示す写真である。
【図７】図７は襟巻性状体に装身具を取付ける場合の他の使用例を示す正面図である。
【符号の説明】
【００３８】
１      地組織部
２      撚糸
２Ａ    撚糸
２Ｂ    撚糸
２Ｃ    撚糸
３      縁部
４      網目部
５      網目構成用増目部
６      網目構成用架橋部
７      リボン
８      止金具
８Ａ    茄子環
８Ｂ    丸環
Ａ      襟巻性状体
Ｂ      装身具
【図１】
2006009191.tif 000003
【図２】
2006009191.tif 000004
【図３】
2006009191.tif 000005
【図４】
2006009191.tif 000006
【図５】
2006009191.tif 000007
【図７】
2006009191.tif 000008
【図６】
2006009191.tif 000009